Podtech/llm-jp-corpus-v4-ja_patent huggingface dataset:
【手続補正書】
【提出日】平成18年6月28日(2006.6.28)
【手続補正１】
【補正対象書類名】明細書
【補正対象項目名】特許請求の範囲
【補正方法】変更
【補正の内容】
【特許請求の範囲】
【請求項１】
一般式（Ｉ）
【化１】
2002520385.tif 000001
［式中、
Ｒはシアノまたはニトロを表し、
Ｒ１は水素、場合により置換されていてもよいアルキル、場合により置換されていてもよいシクロアルキルまたは場合により置換されていてもよいフェニルを表し、
Ｒ２は水素、場合により置換されていてもよいアルキルまたは場合により置換されていてもよいシクロアルキルを表し、そして
Ｒ３は基
【化２】
2002520385.tif 000002
を表し、
ここで
Ｒ４およびＲ５は互いに独立して各々水素、場合により置換されていてもよいアルキルまたは場合により置換されていてもよいシクロアルキルを表し、
Ｒ６およびＲ７は互いに独立して場合により置換されていてもよいアリール、各場合とも場合により置換されていてもよいシクロアルキルおよびシクロアルケニルを表し或いは場合により置換されていてもよい一−、二−または三環式の窒素を含まない複素環を表し、
Ｒ８はアルキルまたは場合により置換されていてもよいアリールを表し、
Ｘは単結合を表し、各場合とも直鎖状もしくは分枝鎖状のアルカンジイル、アルケンジイル、アルキンジイルを表しそしてまた基−Ａ−Ｏ−、−Ａ−Ｓ−、−Ａ−Ｏ−Ａ'−、−Ａ−Ｓ−Ａ'−、−Ａ−Ｎ(Ａｌｋ)−または−Ａ−Ｎ(Ａｌｋ)−Ａ'−も表し、ここで部分Ａは基−Ｃ(Ｒ４Ｒ５)−Ｘ−Ｒ６のＣ原子に結合されており、
Ａｌｋはアルキルを表し、そして
ＡおよびＡ'は互いに独立して各々直鎖状もしくは分枝鎖状のアルカンジイルを表し、そして
Ｙは単結合およびまた基−Ｏ−Ａ−、−Ｏ−Ａ''−Ｏ−、−Ｏ−Ａ''−Ｓ−、−Ｏ−Ａ''−ＳＯ−、−Ｏ−Ａ''−ＳＯ２−、−Ｏ−Ａ''−Ｏ−Ａ'−または−Ｏ−Ａ''−Ｓ−Ａ'−を表し、ここでこれらの基のＯ原子は式（Ｉ）の骨格のＮ原子と常に結合されており、
ＡおよびＡ'は各々上記で定義された通りであり、そして
Ａ''はヘテロ原子間に少なくとも２個の炭素原子を有する直鎖状もしくは分枝鎖状のアルカンジイルを表す］
のイミドアミド(imidamide)誘導体、ただし、Ｒ＝ＣＮおよびＲ２＝Ｈに関して
【化３】
2002520385.tif 000003
である化合物は除く。
【請求項２】
式（II）
【化４】
2002520385.tif 000004
［式中、
ＲおよびＲ１は各々請求項１で定義された通りであり、
Ｑは酸素または硫黄を表し、そして
Ｚはアルキルを表す］
のエタンイミドエステル類を希釈剤の存在下で式（III）
【化５】
2002520385.tif 000005
［式中、
Ｒ２およびＲ３は各々請求項１で定義された通りである］
のアミン類と反応させることを特徴とする、請求項１に記載の一般式（Ｉ）のイミドアミド誘導体の製造方法。
【請求項３】
請求項１に記載の式（Ｉ）のイミドアミド誘導体の少なくとも１種を含有することを特徴とする有害生物防除剤。
【請求項４】
請求項１に記載の式（Ｉ）のイミドアミド誘導体を有害生物および／またはそれらの生息地に作用させることを特徴とする有害生物の抑制方法。
【手続補正書】
【提出日】平成18年6月26日(2006.6.26)
【手続補正１】
【補正対象書類名】明細書
【補正対象項目名】特許請求の範囲
【補正方法】変更
【補正の内容】
【特許請求の範囲】
【請求項１】  すべての立体異性形態およびすべての比のそれらの混合物における式Ｉ
【化１】
2002520387.tif 000001
の化合物またはその生理学的に許容し得る塩。
上記式中において、
Ｘは酸素または硫黄であり；
Ｙは−(ＣＲ(５)2)n−であり；
Ｒ(１)は、
１．置換されていないかまたはハロゲン、（Ｃ1〜Ｃ4）−アルキル、（Ｃ1〜Ｃ4）−アルコキシ、−Ｓ(Ｏ)m−（Ｃ1〜Ｃ4）−アルキル、フェニル、アミノ、ヒドロキシル、ニトロ、トリフルオロメチル、シアノ、ヒドロキシカルボニル、カルバモイル、（Ｃ1〜Ｃ4）−アルコキシカルボニルおよびホルミルからなる群からの１個または２個の同一または異なる置換分によって置換されているフェニル；または
２．ナフチル；または
３．酸素、硫黄および窒素からなる群からの１個または２個の同一または異なる環ヘテロ原子を有する一環式または二環式のヘテロアリール；または
４．−Ｓ(Ｏ)m−フェニル；または
５．置換されていないかまたはフェニル、シアノ、ヒドロキシカルボニルおよび（Ｃ1〜Ｃ4）−アルコキシカルボニルからなる群からの基によって置換されている（Ｃ2−Ｃ5）−アルケニル；または
６．置換されていないかまたはフェニルおよび（Ｃ1〜Ｃ4）−アルコキシからなる群からの基によって置換されている（Ｃ2〜Ｃ5）−アルキニル
であり；
Ｒ(２)は水素または（Ｃ1〜Ｃ3）−アルキルであり；
Ｒ(３)およびＲ(４)は、相互に独立して、水素、ハロゲンまたは（Ｃ1〜Ｃ4）−アルコキシであり；
基Ｒ(５)は、すべて相互に独立し、そして同一または異なることができ、水素または（Ｃ1〜Ｃ3）−アルキルであり；
ｍは０、１または２であり；
ｎは１、２、３または４である。
【請求項２】  すべての立体異性形態およびすべての比のそれらの混合物における請求項１記載の式Ｉ［式中、
Ｒ(１)は、
１．置換されていないかまたはハロゲン、（Ｃ1〜Ｃ4）−アルキル、（Ｃ1〜Ｃ4）−アルコキシ、−Ｓ(Ｏ)m−(Ｃ1〜Ｃ4)−アルキル、トリフルオロメチルおよびニトロからなる群からの置換分によって置換されているフェニル；または
２．酸素、硫黄および窒素からなる群からの１個または２個の同一または異なる環ヘテロ原子を有する一環式ヘテロアリール；または
３．−Ｓ−フェニル；または
４．（Ｃ2〜Ｃ3）−アルケニル；または
５．エチニルまたは２−フェニルエチニル
である］の化合物またはその生理学的に許容し得る塩。
【請求項３】  すべての立体異性形態およびすべての比のそれらの混合物における請求項１または２記載の式Ｉ（式中、Ｒ(２)は（Ｃ1〜Ｃ3）−アルキルである）の化合物またはその生理学的に許容し得る塩。
【請求項４】  すべての立体異性形態およびすべての比のそれらの混合物における請求項１〜３の何れかの項記載の式Ｉ（式中、Ｙは−(ＣＨ2)n−である）の化合物またはその生理学的に許容し得る塩。
【請求項５】  すべての立体異性形態およびすべての比のそれらの混合物における請求項１〜４の何れかの項記載の式Ｉａ
【化２】
2002520387.tif 000002
［式中、
Ｙは−ＣＨ2−ＣＨ2−であり；
Ｒ(２)はメチル、エチルまたはイソプロピルであり；
Ｒ(３)は（Ｃ1〜Ｃ4）−アルコキシであり；
Ｒ(４)はハロゲンである］の化合物またはその生理学的に許容し得る塩。
【請求項６】  式VIII
【化３】
2002520387.tif 000003
の化合物を式Ｒ(２)−ＮＨ2のアミンと反応させるか、またはＸが硫黄である式Ｉの化合
物を製造するために式III
【化４】
2002520387.tif 000004
のベンゼンスルホンアミドまたはその塩を式Ｒ(２)−Ｎ＝Ｃ＝ＳのＲ(２)−置換されたイソチオシアネートと反応させるか、またはＸが酸素である式Ｉの化合物を製造するために式IIIのベンゼンスルホンアミドまたはその塩を式Ｒ(２)−Ｎ＝Ｃ＝ＯのＲ(２)置換されたイソシアネートまたは式Ｃｌ3Ｃ−ＣＯ−ＮＨ−Ｒ(２)のＲ(２)置換された２,２,２−トリクロロアセトアミドと反応させるか、またはＸが酸素である式Ｉの化合物を製造するためにＸが硫黄である式Ｉの相当する化合物をチオ尿素基において脱硫する（上記式において、Ｒ(１)、Ｒ(２)、Ｒ(３)、Ｒ(４)、ＸおよびＹは請求項１〜５において示された意義を有する）ことからなる請求項１〜５の何れかの項記載の式Ｉの化合物の製法。
【請求項７】  医薬として使用するための請求項１〜５の何れかの項記載の式Ｉの化合物またはその生理学的に許容し得る塩。
【請求項８】  請求項１〜５の何れかの項記載の式Ｉの化合物またはその生理学的に許容し得る塩の１種または２種以上および医薬的に許容し得る担体からなる医薬製剤。
【請求項９】  ＡＴＰ−感受性カリウムチャネルの阻害剤として使用するための請求項１〜５の何れかの項記載の式Ｉの化合物またはその生理学的に許容し得る塩。
【請求項１０】  心臓血管疾患、脳血管疾患、心臓の虚血病態、弱化した心筋収縮力または心臓不整脈を治療または予防するための、または突然心臓死を予防するための、または心臓移植後の心臓機能を改善するための請求項１〜５の何れかの項記載の式Ｉの化合物またはその生理学的に許容し得る塩。
【手続補正書】
【提出日】平成18年7月5日(2006.7.5)
【手続補正１】
【補正対象書類名】明細書
【補正対象項目名】請求項１
【補正方法】変更
【補正の内容】
【請求項１】  式Ｉ
【化１】
2002520382.tif 000001
式中、
Xは、H2N-C(=NH)-、 H2N-C(=NH)-NH-、A-C(=NH)-NH-、Het1-又はHet1-NH-であり、
Yは、
【化２】
2002520382.tif 000002
-(CH2)s-CH(R4) -(CH2)t-又は-(CH2)p- Het2 -(CH2)q-であり、
Zは、-(CH2)r-R5であり、
R1、R2は、各々互いに独立してH又はAであり、
R3は、H、F、Cl、Br、A、OA又はOCF3であり、
R4は、非置換又はF、Cl、Br、A、OA又はOCF3によって置換されたフェニルであり、
R5は、COOH、COOA、CONH2、SO3H、PO3H2又はテトラゾリルであり、
Het1は、１から４個の窒素原子をもつ単環性または２環性のヘテロ環であり、非置換またはNH2によってモノ置換又は２置換されていてもよく、
Het2は、１から４個の窒素原子及び／又は硫黄原子をもつ５員環又は６員環の芳香族ヘテロ環であり、非置換又はF、Cl、Br、A、OA又はOCF3によってモノ置換又は２置換されていてもよく、
Aは、１から６個の炭素原子を有するアルキルであり、
nは、０、１、２、３、４、５、６、７又は８であり、
m、o、p、q、r、s、tは、各々互いに独立して０、１、２、３、４又は5である、
の化合物、又はそれらの塩もしくは溶媒和物。
【手続補正２】
【補正対象書類名】明細書
【補正対象項目名】請求項２
【補正方法】変更
【補正の内容】
【請求項２】  請求項１に記載の式Ｉの化合物であって、
ａ）（３Ｓ）−３−［４−（３−グアニジノベンゾイル）セミカルバジド]スクシンアミド酸；
ｂ）（３Ｓ）−３−［４−（５−グアニジノペンタノイル）セミカルバジド]スクシンアミド酸；
又はそれらの塩。
【手続補正３】
【補正対象書類名】明細書
【補正対象項目名】請求項６
【補正方法】変更
【補正の内容】
【請求項６】  血栓症、心筋梗塞、冠状動脈性心疾患、動脈硬化症、腫瘍、骨粗鬆症、炎症および感染症に対処するためのインテグリン阻害剤としての請求項１に記載の式Ｉの化合物又はそれらの生理学的に許容され得る塩。
【手続補正４】
【補正対象書類名】明細書
【補正対象項目名】０００１
【補正方法】変更
【補正の内容】
【０００１】
本発明は、式Ｉ
【化７】
2002520382.tif 000003
式中、
Xは、H2N-C(=NH)-、 H2N-C(=NH)-NH-、A-C(=NH)-NH-、Het1-又はHet1-NH-であり、
Yは、
【化８】
2002520382.tif 000004
-(CH2)s-CH(R4) -(CH2)t-又は-(CH2)p- Het2 -(CH2)q-であり、
Zは、-(CH2)r-R5であり、
R1、R2は、各々互いに独立してH又はAであり、
R3は、H、F、Cl、Br、A、OA又はOCF3であり、
R4は、非置換又はF、Cl、Br、A、OA又はOCF3によって置換されたフェニルであり、
R5は、COOH、COOA、CONH2、SO3H、PO3H2又はテトラゾリルであり、
Het1は、１から４個の窒素原子をもつ単環性または２環性のヘテロ環であり、非置換またはNH2によってモノ置換又は２置換されていてもよく、
Het2は、１から４個の窒素原子及び／又は硫黄原子をもつ５員環又は６員環の芳香族ヘテロ環であり、非置換又はF、Cl、Br、A、OA又はOCF3によってモノ置換又は２置換されていてもよく、
Aは、１から６個の炭素原子を有するアルキルであり、
nは、０、１、２、３、４、５、６、７又は８であり、
m、o、p、q、r、s、tは、各々互いに独立して０、１、２、３、４又は5である、
の化合物、又はそれらの塩もしくはそれらの溶媒和物に関する。
【手続補正５】
【補正対象書類名】明細書
【補正対象項目名】００５０
【補正方法】変更
【補正の内容】
【００５０】
式Ｉの化合物又はそれらの生理学的に許容され得る塩は、疾患、特に血栓症、心筋梗塞、冠状動脈性心疾患、動脈硬化症、腫瘍、骨粗鬆症、炎症および感染症に対処するためのインテグリン阻害剤として用いることができる。
【手続補正書】
【提出日】平成18年6月21日(2006.6.21)
【手続補正１】
【補正対象書類名】明細書
【補正対象項目名】特許請求の範囲
【補正方法】変更
【補正の内容】
【特許請求の範囲】
【請求項１】  エチレン及びプロピレンから選択されるオレフィンをヘテロポリ酸触媒の存在下に蒸気相にて飽和Ｃ１〜Ｃ４脂肪族モノカルボン酸と反応させることからなる低級脂肪族エステルの製造方法において、（ａ）反応を直列設立された複数の反応器にて行い、（ｂ）供給原料をヘテロポリ酸触媒と接触させる前に金属もしくは金属化合物の不純物から実質的にフリーにして供給原料が０．１ｐｐｍ以下の金属および／または金属化合物を有するようにすることを特徴とする低級脂肪族エステルの製造方法。
【請求項２】  供給原料が、ヘテロポリ酸触媒と接触させる前に０．０１ｐｐｍ以下の金属および／または金属化合物を有する請求項１に記載の方法。
【請求項３】  供給原料を装置の腐食から生ずるまたは反応で使用された水もしくは酢酸反応体から生ずる金属もしくは金属化合物の不純物から実質的にフリーにする請求項１または２に記載の方法。
【請求項４】  装置の腐食から生ずる金属もしくは金属化合物の不純物が鉄、クロム、ニッケルおよび／またはモリブデンからなる請求項３に記載の方法。
【請求項５】  反応にて使用された水または酢酸反応体から生ずる金属もしくは金属化合物の不純物がナトリウム、カリウムおよび／またはカルシウムからなる請求項３または４に記載の方法。
【請求項６】  金属もしくは金属化合物の不純物を供給物から反応器まで、保護ベッドおよび／または蒸発器を用いて除去する請求項１〜５のいずれか一項に記載の方法。
【請求項７】  保護ベッドがイオン交換樹脂の形態である請求項６に記載の方法。
【請求項８】  保護ベッドが非晶質アルミノシリケート、粘土、ゼオライト、アルミノホスフェート、シリコアルミノホスフェート、金属アルミノホスフェートまたは支持ヘテロポリ酸からなる請求項７に記載の方法。
【請求項９】  金属もしくは金属化合物の不純物を供給物から反応器まで、デミスタパッドおよび／またはヘビーエンドテイクオフを蒸発器の底部で用いて前記不純物を除去する蒸発器により除去する請求項６〜８のいずれか一項に記載の方法。
【請求項１０】  新鮮な酸を蒸発器に導入して、金属もしくは金属化合物の不純物を洗浄する請求項９に記載の方法。
【請求項１１】  前記低級オレフィンがエチレンである請求項１〜１０のいずれか一項に記載の方法。
【請求項１２】  第１反応器に供給される反応体ガスにおけるオレフィンと低級モノカルボン酸とのモル比が１：１〜１８：１の範囲である請求項１〜１１のいずれか一項に記載の方法。
【請求項１３】  直列設立される前記複数の反応器が、直立設立される複数の触媒床を有する１本の長反応器の形態である請求項１〜１２のいずれか一項に記載の方法。
【手続補正書】
【提出日】平成18年6月5日(2006.6.5)
【手続補正１】
【補正対象書類名】明細書
【補正対象項目名】特許請求の範囲
【補正方法】変更
【補正の内容】
【特許請求の範囲】
【請求項１】  眼新生血管形成およびヒト眼細胞からのサイトカイン放出を含む非アレルギー性眼炎症障害を処置または予防するための組成物であって、治療的有効量の１１−（３−ジメチルアミノプロピリデン）−６，１１−ジヒドロジベンズ［ｂ，ｅ］オキセピン−２−酢酸またはその薬学的に受容可能な塩を含む、組成物。
【請求項２】  前記組成物が局所的に投与可能な溶液であり、そして前記１１−（３−ジメチルアミノプロピリデン）−６，１１−ジヒドロジベンズ［ｂ，ｅ］オキセピン−２−酢酸の量が約０．０００１  ｗ／ｖ％〜約５％（ｗ／ｖ）である、請求項１に記載の組成物。
【請求項３】  前記１１−（３−ジメチルアミノプロピリデン）−６，１１−ジヒドロジベンズ［ｂ，ｅ］オキセピン−２−酢酸の量が、約０．０００１〜約０．００１％（ｗ／ｖ）である、請求項２に記載の組成物。
【請求項４】  前記１１−（３−ジメチルアミノプロピリデン）−６，１１−ジヒドロジベンズ［ｂ，ｅ］オキセピン−２−酢酸の量が、約０．０００５％（ｗ／ｖ）である、請求項３に記載の組成物。
【請求項５】  前記１１−（３−ジメチルアミノプロピリデン）−６，１１−ジヒドロジベンズ［ｂ，ｅ］オキセピン−２−酢酸が、（Ｚ）−１１−（３−ジメチルアミノプロピリデン）−６，１１−ジヒドロジベンズ［ｂ，ｅ］オキセピン−２−酢酸であり、（Ｅ）−１１−（３−ジメチルアミノプロピリデン）−６，１１−ジヒドロジベンズ［ｂ，ｅ］オキセピン−２−酢酸を実質的に含まない、請求項１に記載の組成物。
【請求項６】  前記組成物が局所的に投与可能な溶液であり、そして前記（Ｚ）−１１−（３−ジメチルアミノプロピリデン）−６，１１−ジヒドロジベンズ［ｂ，ｅ］オキセピン−２−酢酸の量が、約０．０００１〜約５％（ｗ／ｖ）である、請求項５に記載の組成物。
【請求項７】  前記（Ｚ）−１１−（３−ジメチルアミノプロピリデン）−６，１１−ジヒドロジベンズ［ｂ，ｅ］オキセピン−２−酢酸の量が、約０．０００１〜約０．００１％（ｗ／ｖ）である、請求項６に記載の組成物。
【請求項８】  前記（Ｚ）−１１−（３−ジメチルアミノプロピリデン）−６，１１−ジヒドロジベンズ［ｂ，ｅ］オキセピン−２−酢酸の量が、０．０００５％（ｗ／ｖ）である、請求項７に記載の組成物。
【請求項９】  前記１１−（３−ジメチルアミノプロピリデン）−６，１１−ジヒドロジベンズ［ｂ，ｅ］オキセピン−２−酢酸が、（Ｅ）−１１−（３−ジメチルアミノプロピリデン）−６，１１−ジヒドロジベンズ［ｂ，ｅ］オキセピン−２−酢酸であり、（Ｚ）−１１−（３−ジメチルアミノプロピリデン）−６，１１−ジヒドロジベンズ［ｂ，ｅ］オキセピン−２−酢酸を実質的に含まない、請求項１に記載の組成物。
【請求項１０】  前記組成物が局所的に投与可能な組成物であり、そして前記（Ｅ）−１１−（３−ジメチルアミノプロピリデン）−６，１１−ジヒドロジベンズ［ｂ，ｅ］オキセピン−２−酢酸の量が、約０．０００１〜約５％（ｗ／ｖ）である、請求項９に記載の組成物。
【請求項１１】  前記（Ｅ）−１１−（３−ジメチルアミノプロピリデン）−６，１１−ジヒドロジベンズ［ｂ，ｅ］オキセピン−２−酢酸の量が、約０．０００１〜約０．００１％（ｗ／ｖ）である、請求項１０に記載の組成物。
【請求項１２】  前記（Ｅ）−１１−（３−ジメチルアミノプロピリデン）−６，１１−ジヒドロジベンズ［ｂ，ｅ］オキセピン−２−酢酸の量が、約０．０００５％（ｗ／ｖ）である、請求項１１に記載の組成物。
【請求項１３】  前記非アレルギー性眼炎症障害が、眼乾燥症、角膜炎、眼瞼炎、ブドウ膜炎および感染に関連する炎症からなる群より選択される、請求項１に記載の組成物。
【請求項１４】  前記眼新生血管形成および非アレルギー性眼炎症障害がヒト結膜上皮細胞からのサイトカイン放出を伴う、請求項１に記載の組成物。
【手続補正書】
【提出日】平成18年6月26日(2006.6.26)
【手続補正１】
【補正対象書類名】明細書
【補正対象項目名】特許請求の範囲
【補正方法】変更
【補正の内容】
【特許請求の範囲】  
【請求項１】  半導体またはプリント回路板の製造時の廃水流から銅を検出し除去するためのシステムであり、
廃水流に添加されたときに、Ｃｕ+2イオンの形で存在する銅と反応して、前記銅イオンの析出物を生じさせるポリマーを、第１タンク内において、前記廃水に添加するための手段と、
スラッジバルブを備えたスラッジラインに接続された廃水流から、前記析出物を分離するための分離手段であって、
（Ａ）廃水に添加されたときに、Ｃｕ+2イオンの形で存在する銅と反応する蛍光試薬を添加して、前記試薬の蛍光性を消光するための手段を有する蛍光光度計を含むところの分離手段を備える
システムであって、
（Ｂ）前記分離手段が、
１０％以下の固形物を含有し、第１タンクの下流に位置する第２タンクに戻される不合格水を収容する不合格流ラインにも接続されていることを特徴とするシステム。
【請求項２】
前記蛍光光度計は、前記廃水流を、排出するか、または、更なる処理のために、前記第１タンク内に循環させるかを決定する値を制御するための信号を提供することを特徴とする、請求項１に記載のシステム。
【請求項３】
前記分離手段は、前記蛍光光度計のためのサンプル採取ポイントの下流で、前記バルブを備えた透過流ラインを介して引き出される透過液を提供することを特徴とする、請求項２に記載のシステム。
【請求項４】
前記蛍光光度計は、ポンプを制御して、前記第１タンクに添加されるポリマーの流量を直接的に制御することを特徴とする、請求項１から３のいずれか１つに記載のシステム。
【請求項５】
前記蛍光光度計は、前記バルブおよびポンプの双方を制御する信号を提供して、前記第１タンクに添加されるポリマーの流量を制御することを特徴とする、請求項４に記載のシステム。
【請求項６】
ポリマーに接触するに先立って、廃水のｐＨを調整する試薬を添加するための手段を更に備える、請求項５に記載のシステム。
【請求項７】
サンプルを試験するために、廃棄ラインに配置された付加的な蛍光光度計を更に備えることを特徴とする、請求項６に記載のシステム。
【請求項８】
第１タンク内、または、これと異なる位置の何れかに配置され、未反応ポリマーを検出するための少なくとも１つのセンサを更に備えることを特徴とする、請求項６に記載のシステム。
【請求項９】
請求項８に記載のシステムを用いて、半導体またはプリント回路板の製造時の廃水流から銅を検出し除去する方法。
【請求項１０】
前記ポリマーは、５００から１００，０００の分子量を有し、少なくとも５モル％のジチオカルバミン酸塩類を含有する水溶性エチレンジクロライドアンモニアポリマーを含むことを特徴とする、請求項９に記載の方法。
【手続補正書】
【提出日】平成18年4月4日(2006.4.4)
【手続補正１】
【補正対象書類名】明細書
【補正対象項目名】０００６
【補正方法】変更
【補正の内容】
【０００６】
公知の装置は、対称の分配器及び、捕捉流体供給部がまだ開放しているときに非常にゆっくり開放する水弁、又はこれらのうちどちらか一方によって、この問題を部分的に解決した。第１の場合には、分離個所７がすべての通路１に同時に達し、第２の場合には通路１に同時に達する流体混合物の粘性の差が小さくなる。
【手続補正２】
【補正対象書類名】明細書
【補正対象項目名】００２２
【補正方法】変更
【補正の内容】
【００２２】
側方管路１７，１７′の間の分岐器８２は、管路１７を経て流入する不均質性を、管路個所１５′，１５″の間の距離Δｌに分岐する。１７′と１５″を通る、分岐器８２と管路個所１５′の間の管路長さｂは好ましくは、分岐器８２と管路個所１５′の間の管路長さａに等しくない。好ましくはｂ＝（ｎ＋１／２）ａである。この場合、ｎは自然数である。異なる管路長さａ，ｂを補償するために、分岐器８２と管路個所１５′の間には、絞り８３が設けられている。この絞りによって、絞り８３を通る流量Ｑａと、管路個所１５″を通る流量Ｑｂがほぼ等しくなり、Ｑａ≒Ｑｂである。
【手続補正３】
【補正対象書類名】明細書
【補正対象項目名】００２３
【補正方法】変更
【補正の内容】
【００２３】
図３ｅは、４個の部分出口２３を経て、混合された流体を分配するための１本の管路を備えた、図３ｄの装置の変形を示している。第１の運転方法では、入口弁８０が閉じられている間は、循環ポンプ１８により、流れＱ８２だけが分岐器８２を通って循環し、部分出口２３を通過せず、装置は純粋な前置混合器として作用する。入口弁８０が開放した第２の運転方法の場合には、流れＱ８０は入口弁８０によって特にＱ８２≒Ｑ８０／２に調節される。
【手続補正書】
【提出日】平成18年2月9日(2006.2.9)
【手続補正１】
【補正対象書類名】明細書
【補正対象項目名】特許請求の範囲
【補正方法】変更
【補正の内容】
【特許請求の範囲】
【請求項１】  微粒子状汚染物を空気流から濾過する濾過器であって、
前記微粒子状汚染物を前記空気流から濾過する濾過媒体であって、第１主面および第２主面を備え、空気流が前記濾過媒体を貫通して前記第１主面から前記第２主面に流れる濾過媒体と、
第１主面および第２主面並びに外周部および中央部を有する空気不浸透性表示器パッチと、
前記濾過媒体の前記第１主面または第２主面の一方の一部分に隣接する所望の位置に前記表示器パッチを支持するようになっている手段とを含み、
前記表示器パッチが、前記濾過媒体を貫通する空気の流れを阻止して空気流を転換し、汚染物が、前記空気不浸透性表示器パッチの前記外周部から前記中央部に向かって前記濾過媒体内に徐々に蓄積し、前記濾過器の使用状態を表示するようになっている濾過器。
【請求項２】  前記表示器パッチが、前記表示器パッチの前記第２主面を前記濾過器の第１主面に隣接させて前記濾過器に取り付けられ、前記表示器パッチの少なくとも一部分が光透過性であり、前記表示器パッチに隣接する前記濾過媒体の部分を目視で認識することが可能である、請求項１記載の濾過器。
【請求項３】  前記表示器パッチが、前記表示器パッチの前記第２主面に感圧接着剤層を備え、前記感圧接着剤層により前記濾過媒体の前記第１主面に付着する、請求項２記載の濾過器。
【請求項４】  前記表示器パッチが、前記表示器パッチの前記第１主面を前記濾過媒体の前記第２主面に隣接させて前記濾過器に取り付けられる、請求項１記載の濾過器。
【請求項５】  前記表示器パッチが、前記表示器パッチの前記第１主面に感圧接着剤層を備え、前記表示器パッチが、前記感圧接着剤層により前記濾過媒体の前記第２主面に付着する、請求項４記載の濾過器。
【請求項６】  前記濾過媒体が絡み合った繊維を含み、これら繊維の少なくとも何本かが静電荷されたエレクトレット繊維である、請求項１記載の濾過器。
【請求項７】  前記濾過媒体の前記ウェブが少なくとも１つの強化スクリムに接合される、請求項６記載の濾過器。
【請求項８】 前記表示器パッチが空気抵抗性濾過媒体から構成され、前記表示器パッチを前記濾過媒体に隣接して取り付けるための前記手段が、両面粘着テープの空気不浸透性ストリップおよび空気不浸透性粘着転写テープのどちらかを備え、前記両面粘着テープの空気不浸透性ストリップおよび空気不浸透性粘着転写テープの一方のストリップが、前記表示器パッチを通る空気の流れを阻止して空気流を転換し、汚染物が前記表示器パッチの前記外周部から前記中央部に向かって徐々に蓄積して、前記空気濾過器の使用状態を表示するように構成されている、請求項１記載の濾過器。
【請求項９】 前記濾過媒体の第１主面から第２主面まで前記濾過媒体を通過する気体流から微粒子状物質を濾過する濾過媒体を有する濾過器とともに使用する変化表示器であって、
（ａ）気体不浸透性表示器パッチと、
（ｂ）前記濾過媒体の前記第１主面または第２主面の一方の一部分に隣接する所望の位置に前記表示器パッチを支持するように構成されている手段と、を備え、
（ｃ）前記濾過器を通過する気体の流れを前記表示器パッチに隣接して阻止および転換し、気体の汚染物が、前記気体不浸透性表示器パッチの前記外周部から前記中央部に向かって前記濾過媒体内に徐々に蓄積する変化表示器。
【請求項１０】 微粒子状汚染物を気体流から濾過する濾過器であって、
前記微粒子状汚染物を前記気体流から濾過する濾過媒体であって、第１主面および第２主面を有し、気体が前記濾過媒体を貫通して前記第１主面から前記第２主面に流れる濾過媒体と、
第１主面および第２主面並びに外周部および中央部を有する気体不浸透性表示器パッチと、
前記濾過媒体の前記第１主面または第２主面の一方の一部分に隣接する所望の位置に前記表示器パッチを支持するように構成されている手段と、
を備え、
前記表示器パッチが、前記濾過媒体を通る気体の流れを阻止して気体流を転換し、汚染物が前記気体不浸透性表示器パッチの前記外周部から前記中央部に向かって徐々に蓄積して、前記濾過器の使用状態を表示するように構成されている濾過器。
【手続補正書】
【提出日】平成18年7月13日(2006.7.13)
【手続補正１】
【補正対象書類名】明細書
【補正対象項目名】特許請求の範囲
【補正方法】変更
【補正の内容】
【特許請求の範囲】
【請求項１】  思考を検出し、該思考に対応する制御命令を生成する方法であって、
人が該思考を行っているときに、該人の耳近傍の気圧をモニタすることによって該思考を検出するステップと、
該検出された思考に対応する制御命令を提供するステップと
を包含する、方法。
【請求項２】  前記思考を検出するステップは、
前記耳近傍に圧力センサを配置するステップと、
該圧力センサで前記気圧をモニタするステップと、
検出された気圧変化を電気信号に変換するステップと、
該電気信号を処理することにより、該思考を検出するステップと
を包含する、請求項１に記載の方法。
【請求項３】  思考を検出し、該思考に対応する制御命令を生成するシステムであって、
人が該思考を行っているときに、該人の耳近傍の圧力を感知し、該圧力に対応する電気信号を生成する圧力センサと、
該電気信号を処理することにより、該思考を検出し、該検出に応答して該制御命令を生成するプロセッサと、
該プロセッサからの該制御命令を受け取り、該制御命令に対応する出力を提供する出力周辺機器と
を備えた、システム。
【手続補正書】
【提出日】平成18年6月21日(2006.6.21)
【手続補正１】
【補正対象書類名】明細書
【補正対象項目名】特許請求の範囲
【補正方法】変更
【補正の内容】
【特許請求の範囲】
【請求項１】  少なくとも１種の生分解性ポリマーと少なくとも１種の脂質とを含むマトリックスを有する生分解性ミクロスフェア、ならびに
生分解性ミクロスフェアから放出可能な生理活性物質
を含有してなる脂質／ポリマー含有医薬組成物。
【請求項２】  ミクロスフェアが実質的に揮発性有機溶媒を含まない、請求項１に記載の医薬組成物。
【請求項３】  ミクロスフェアが実質的にポリビニルアルコールを含まない、請求項１に記載の医薬組成物。
【請求項４】  固形剤型である請求項１に記載の医薬組成物。
【請求項５】  固形剤型が、錠剤、カプセル剤、カシェ剤、経皮パッチ、縫合糸、植込錠(implant)、および坐剤からなる群より選択される、請求項４に記載の医薬組成物。
【請求項６】  水性懸濁液の形態である、請求項１に記載の医薬組成物。
【請求項７】  少なくとも１種の生分解性ポリマーがホモポリマーである、請求項１に記載の医薬組成物。
【請求項８】  少なくとも１種の生分解性ホモポリマーが、ポリラクチド、ポリグリコリド、ポリ(p-ジオキサノン)、ポリカプロラクトン、ポリヒドロキシアルカノエート、ポリプロピレンフマレート、ポリオルトエステル、ポリリン酸エステル、ポリ無水物、ポリホスファゼン、ポリアルキルシアノアクリレート、ポリペプチド、および遺伝子工学的に操作されたポリマーからなる群より選択される、請求項７に記載の医薬組成物。
【請求項９】  少なくとも１種の生分解性ポリマーがランダムまたはブロックコポリマーである、請求項１に記載の医薬組成物。
【請求項１０】  少なくとも１種の生分解性ランダムまたはブロックコポリマーが、ポリ(ラクチド-グリコリド)、ポリ(p-ジオキサノン-ラクチド)、ポリ(p-ジオキサノン-グリコリド)、ポリ(p-ジオキサノン-ラクチド-グリコリド)、ポリ(p-ジオキサノン-カプロラクトン)、ポリ(p-ジオキサノン-アルキレンカーボネート)、ポリ(p-ジオキサノン-アルキレンオキシド)、ポリ(p-ジオキサノン-カーボネート-グリコリド)、ポリ(p-ジオキサノン-カーボネート)、ポリ(カプロラクトン-ラクチド)、ポリ(カプロラクトン-グリコリド)、ポリ(ヒドロキシアルカノエート)、ポリ(プロピレンフマレート)、ポリ(オルトエステル)、ポリ(エーテル-エステル)、ポリ(エステル-アミド)、ポリ(エステル-ウレタン)、ポリリン酸エステル、ポリ無水物、ポリ(エステル-無水物)、ポリホスファゼン、ポリペプチドおよび遺伝子工学的に操作されたコポリマーからなる群より選択される、請求項９に記載の医薬組成物。
【請求項１１】  少なくとも１種の脂質が両性イオン性脂質を含む、請求項１に記載の医薬組成物。
【請求項１２】  少なくとも１種の脂質が酸性脂質を含む、請求項１に記載の医薬組成物。
【請求項１３】  少なくとも１種の脂質がステロールを含む、請求項１に記載の医薬組成物。
【請求項１４】  少なくとも１種の脂質がトリグリセリドを含む、請求項１に記載の医薬組成物。
【請求項１５】  生理活性物質が親水性である請求項１に記載の医薬組成物であって、トリグリセリドをさらに含む前記医薬組成物。
【請求項１６】  生理活性物質が疎水性である請求項１に記載の医薬組成物であって、トリグリセリドを含まない前記医薬組成物。
【請求項１７】  生理活性物質が、抗アンギナ薬(antianginas)、抗不整脈薬、抗喘息薬、抗生物質、抗糖尿病薬、抗真菌薬、抗ヒスタミン薬、血圧降下薬、駆虫剤、抗腫瘍薬、抗ウイルス薬、強心配糖体、除草剤、ホルモン、免疫調節剤、モノクローナル抗体、神経伝達物質、核酸、タンパク質、放射線造影剤、放射性核種、鎮静薬、鎮痛薬、ステロイド、トランキライザー、ワクチン、昇圧薬、麻酔薬、ペプチドおよびそれらの組み合わせからなる群より選択される、請求項１に記載の医薬組成物。
【請求項１８】  請求項１に記載の医薬組成物中の脂質とポリマーの比率を変化させることにより、生分解性ミクロスフェアからの生理活性物質の放出速度を制御する方法。
【請求項１９】  第１の水相と、少なくとも１種の揮発性有機溶媒、少なくとも１種の生分解性ポリマーまたはコポリマーおよび少なくとも１種の脂質を含む揮発性有機溶媒相とから油中水型乳濁液を形成すること、
油中水型乳濁液を第２の水相に分散して溶媒球状体を形成すること、ならびに
溶媒球状体から揮発性有機溶媒を除去して第２の水相に懸濁された脂質／ポリマー含有組成物を形成すること
を含んでなる、生分解性脂質／ポリマー含有組成物の製造方法。
【請求項２０】  (a) 少なくとも１種の親水性生理活性物質を含む第１の水相と、少なくとも１種の揮発性有機溶媒、少なくとも１種の生分解性ポリマーまたはコポリマーおよび少なくとも１種の脂質を含む揮発性有機溶媒相とから油中水型乳濁液を形成すること、
(b) 油中水型乳濁液を第２の水相に分散して溶媒球状体を形成すること、ならびに
(c) 溶媒球状体から揮発性有機溶媒を除去して第２の水相に懸濁された脂質／ポリマー含有医薬組成物を形成すること
を含んでなる、生分解性脂質／ポリマー含有医薬組成物を製造する方法であって、脂質とポリマーの比率が、生理活性物質のin vivoでの放出速度を調節するように選択される、前記方法。
【請求項２１】  溶媒球状体から実質的に全ての有機溶媒を除去することをさらに含む、請求項２０に記載の方法。
【請求項２２】  請求項２０に記載の方法により製造された医薬組成物。
【請求項２３】  (a)第１の水相と、少なくとも１種の疎水性生理活性物質、少なくとも１種の揮発性有機溶媒、少なくとも１種の生分解性ポリマーまたはコポリマーおよび少なくとも１種の脂質を含む揮発性有機溶媒相とから油中水型乳濁液を形成すること、
(b) 油中水型乳濁液を第２の水相に分散して溶媒球状体を形成すること、ならびに
(c) 溶媒球状体から揮発性有機溶媒を除去して第２の水相に懸濁された脂質／ポリマー含有医薬組成物を形成すること
を含んでなる、生分解性脂質／ポリマー含有医薬組成物を製造する方法であって、脂質とポリマーの比率が、生理活性物質のin vivoでの放出速度を調節するように選択される、前記方法。
【請求項２４】  溶媒球状体から実質的に全ての有機溶媒を除去することをさらに含む、請求項２３に記載の方法。
【請求項２５】  請求項２３に記載の方法により製造された脂質／ポリマー含有医薬組成物。
【請求項２６】  生理活性物質がホルモンである、請求項１に記載の組成物。
【請求項２７】  ホルモンがインスリンまたはロイプロリドである、請求項２６に記載の組成物。
【請求項２８】  生理活性物質がサイトカインである、請求項１に記載の組成物。
【請求項２９】  サイトカインがエリスロポエチンである、請求項２８に記載の組成物。
【請求項３０】  生理活性物質が抗生物質である、請求項１に記載の組成物。
【請求項３１】  抗生物質がアミカシンである、請求項３０に記載の組成物。
【請求項３２】  揮発性有機溶媒相が少なくとも１種のトリグリセリドをさらに含む、請求項２０に記載の方法。
【手続補正書】
【提出日】平成18年2月17日(2006.2.17)
【手続補正１】
【補正対象書類名】明細書
【補正対象項目名】特許請求の範囲
【補正方法】変更
【補正の内容】
【特許請求の範囲】
【請求項１】  （ａ）外側表面を有する弾性基材と、
（ｂ）該外側表面の少なくとも一部の上にある接着メイクコートと、
（ｃ）該メイクコートに埋められた部分をそれぞれ有する研磨粒子と、
（ｄ）該メイクコートおよび該研磨粒子を覆って配置された、硬質の目詰まり防止サイズコートと、
を有する弾性研磨物品。
【請求項２】 （ａ）外側表面を有する柔軟性弾性基材と、
（ｂ）該外側表面の少なくとも一部の上にあって、既知の硬度を有する接着メイクコートと、
（ｃ）該メイクコートに埋められた部分をそれぞれ有する研磨粒子と、
（ｄ）該メイクコートおよび該研磨粒子を覆って配置され、該メイクコートの既知の硬度より大きい既知の硬度を有する目詰まり防止サイズコートと、
を有する弾性研磨物品。
【請求項３】 （ａ）外側表面を有する弾性基材と、
（ｂ）該外側表面の少なくとも一部の上にある接着メイクコートと、
（ｃ）該メイクコートに埋められた部分をそれぞれ有する研磨粒子と、
（ｄ）該メイクコートおよび該研磨粒子を覆って配置され、１５グレイン／２４ｉｎ２未満の乾燥付加重量を有する目詰まり防止サイズコートと、
を有する弾性研磨物品。
【請求項４】 （ａ）外側表面を有し、５０〜２００％の伸びを有する弾性基材と、
（ｂ）該外側表面の少なくとも一部の上にあって、該基材の伸びより大きい伸びを有する接着メイクコートと、
（ｃ）該メイクコートに埋められた部分をそれぞれ有する研磨粒子と、
（ｄ）該メイクコートおよび該研磨粒子を覆って配置され、該メイクコートの伸びより小さい伸びを有するサイズコートと、
を有する弾性研磨物品。
【手続補正書】
【提出日】平成18年6月14日(2006.6.14)
【手続補正１】
【補正対象書類名】明細書
【補正対象項目名】特許請求の範囲
【補正方法】変更
【補正の内容】
【特許請求の範囲】
【請求項１】  生物学的流体内の選択された有機化合物の濃度を低減するための装置であって、該装置が以下：
生体適合性容器；
該容器の内部に配置された複合膜であって、該膜が、選択された量の粒子性吸着材料とブレンドされた選択された量の繊維化していないポリマー材料を含む、膜；
を含む、装置。
【請求項２】  請求項１に記載の装置であって、ここで、前記膜がポリマーマトリックスを含み、そして前記粒子が該マトリックス内に固定化されている、装置。
【請求項３】  請求項２に記載の装置であって、ここで、前記膜が前記容器の少なくとも１つの内部壁に固定されている、装置。
【請求項４】  請求項１に記載の装置であって、ここで、前記ポリマー材料がポリウレタン（ｐｏｌｙｕｒｅｔｈｅｎｅ）、ポリビニリデンフルオリド、酢酸セルロースおよびポリビニルクロリドからなる群から選択される、装置。
【請求項５】  請求項１に記載の装置であって、ここで、前記ポリマー材料が本来疎水性である、装置。
【請求項６】  請求項２に記載の装置であって、ここで、前記膜が内部支持体をさらに含む、装置。
【請求項７】  請求項６に記載の装置であって、ここで、前記支持体がポリエステルメッシュ材料を含む、装置。
【請求項８】  請求項１に記載の装置であって、ここで、前記吸着材料が粉末活性炭を含む、装置。
【請求項９】  請求項１に記載の装置であって、ここで、前記膜が形を合わせたシートを含む、装置。
【請求項１０】  請求項１に記載の装置であって、ここで、前記膜が該膜の外側面上に選択的に透過性のスキンをさらに含む、装置。
【請求項１１】  生物学的流体から、選択された有機化合物を選択的に除去するためのシステムであって、該システムが、以下：
該生物学的流体を複合膜と接触させるための手段であって、ここで該生物学的流体が、選択された有機化合物を含み、該膜が、該ポリマー材料内に実質的に固定化された選択された量の活性炭とブレンドされた選択された量の繊維化していないポリマー材料を含む、手段；
を備える、システム。
【請求項１２】  請求項１１に記載のシステムであって、ここで、前記生物学的流体が血液成分を含む、システム。
【請求項１３】  請求項１１に記載のシステムであって、ここで、前記生物学的流体が少なくとも赤血球を含む、システム。
【請求項１４】  請求項１１に記載のシステムであって、ここで、前記有機化合物が環式有機化合物を含む、システム。
【請求項１５】  請求項１１に記載のシステムであって、ここで、前記有機化合物がトリペプチドを含む、システム。
【請求項１６】  請求項１５に記載のシステムであって、ここで、前記トリペプチドがＬ一グルタチオンを含む、システム。
【請求項１７】  請求項１１に記載のシステムであって、ここで、前記膜が該膜の表面上に選択的に透過性のスキンを含む、システム。
【請求項１８】  請求項１１に記載のシステムであって、ここで、前記膜の面積と前記生物学的流体の体積との比が、約１．０ｃｍ２／ｍｌ〜５．０ｃｍ２／ｍｌの間である、システム。
【請求項１９】  請求項１１に記載のシステムであって、前記接触させるための手段は、前記生物学的流体を前記膜と約２４時間までの間接触させるための手段を備える、システム。
【請求項２０】  請求項ｌｌに記載のシステムであって、前記膜の前記生物学的流体への曝露を増大させるための形を合わせた膜を備える、システム。
【請求項２１】  請求項１１に記載のシステムであって、前記生物学的流体を前記膜と少なくとも１週間接触させるための手段を備える、システム。
【請求項２２】  請求項１１に記載のシステムであって、前記生物学的流体を前記膜と２週間までの間接触させるための手段を備える、システム。
【請求項２３】  生物学的流体内の選択された有機化合物の濃度を低減するための可擁性の複合膜であって、該膜が、以下：
選択された量のポリマー材料および該ポリマー材料内に実質的に固定化された選択された量の活性炭；
を含み、ここで該粒子は、内部および選択的に透過性の外側のスキンに膜を提供するように、該ポリマー材料にわたって不均質に分散されている、
複合膜。
【請求項２４】  請求項２３に記載の膜であって、ここで、前記ポリマー材料がポリウレタン、ポリビニリデンフルオリド、酢酸セルロースおよびポリビニルクロリドからなる群から選択される、膜。
【請求項２５】  請求項２３に記載の膜であって、ここで、前記ポリマー材料が本来疎水性である、膜。
【請求項２６】  請求項２３に記載の膜であって、ここで、前記粒子材料のより多くが前記スキンよりも内側の該膜内に配置される、膜。
【請求項２７】  請求項２３に記載の膜であって、約５重量％〜３０重量％の前記ポリマー材料および約７０重量％〜９５重量％の活性炭を含む、膜。
【請求項２８】  請求項２３に記載の膜であって、該膜内にポリエステルメッシュ支持体をさらに含む、膜。
【請求項２９】  請求項２８に記載の膜であって、ここで、前記膜の厚みが少なくとも４００μｍである、膜。
【請求項３０】  請求項２３に記載の膜であって、ここで、前記スキンが少なくともアクリジン化合物に対して透過性であり、そしてＬ−グルタチオンを低減させる、膜。
【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】
光沢側とつや消し側を有する銅ホイルを処理し、銅ホイルの片側で表面積を増加させる工程、
銅ホイルの処理した側に銅以外の金属から形成された薄い導電性金属層を形成させる工程、
薄い導電性金属層を有する銅ホイルを基材に、薄い導電性金属層が銅ホイルと基材の間に配置される様にラミネートする工程、および
銅ホイルをラミネートから除去することにより、導電性ラミネートを製造する工程
を含んでなることを特徴とする、導電性ラミネートの製造法。
【請求項２】
導電性ラミネートの導電性金属層が、銅ホイルの処理した側に適合する表面仕上げを有する、請求項１に記載の製造法。
【請求項３】
導電性金属層の表面仕上げの粗さが３５０マイクロインチ未満である、請求項２に記載の製造法。
【請求項４】
銅ホイルの処理した側が銅ホイルの光沢側である、請求項１に記載の製造法。
【請求項５】
処理工程が銅ホイルの粗面化を含んでなる、請求項４に記載の製造法。
【請求項６】
処理工程が、銅ホイルの処理側に銅の球状物を堆積させることを含んでなる、請求項１に記載の製造法。
【請求項７】
球状堆積物のサイズが約３ミクロン未満である、請求項６に記載の製造法。
【請求項８】
薄い導電性金属層上にフォトレジスト層を塗布し、画像形成する工程、
フォトレジストのある部分を硬化させることにより、フォトレジストの対応する未硬化部分を形成する工程、
フォトレジストの未硬化部分を除去し、導電性金属が露出している溝を形成する工程、および
露出した導電性金属層上に銅を付け、回路線を製造する工程をさらに含んでなる、請求項１に記載の製造法。
【請求項９】
露出した導電性金属層上に銅を付ける工程の前に、ラミネートを調整し、露出した導電性金属層から酸化物層を除去する工程をさらに含んでなる、請求項８に記載の製造法。
【請求項１０】
調整工程が、導電性金属層を陰極処理する工程を含んでなる、請求項９に記載の製造法。
【請求項１１】
導電性金属層の上に銅の層を電着差せる工程をさらに含んでなる、請求項１に記載の製造法。
【請求項１２】
電着工程が、導電性金属層の決められた区域の上に銅の層を堆積させることを含んでなる、請求項１１に記載の製造法。
【請求項１３】
基材上に回路線を形成する工程であって、
（ａ）ホイルのシートに導電性金属の層を付ける工程、
（ｂ）導電性金属を含むホイルのシートを基材にラミネートする工程、
（ｃ）工程（ｂ）で製造したラミネートからホイルをエッチングにより除去し、前記基材の表面に埋め込まれた導電性金属を残す工程、
（ｄ）ラミネートを調整し、露出した導電性金属から酸化物層を除去する工程、
（ｅ）ラミネート上にフォトレジストを塗布し、画像形成し、フォトレジストの一部分を除去することにより、フォトレジストの未硬化部分を形成する工程、
（ｆ）工程（ｅ）のフォトレジストの未硬化部分を除去し、導電性金属が露出している溝を残す工程、および
（ｇ）工程（ｆ）の露出した導電性金属上に第二の金属を付け、回路線を製造する工程
を含んでなることを特徴とする製造法。
【請求項１４】
工程（ｅ）の硬化したフォトレジストを除去し、導電性金属を露出させ、露出した導電性金属をエッチングにより除去することにより、前記基材上に回路を製造する工程をさらに含んでなる、請求項１３に記載の製造法。
【請求項１５】
前記調整工程が、露出した導電性金属に陰極処理を行なうことを含んでなる、請求項１３に記載の製造法。
【請求項１６】
前記陰極処理方法が、
整流器の負の端子を導電性金属に接続する工程、
整流器の正の端子を、寸法的に安定した陽極に接続する工程、および
基材および導電性金属を１０％硫酸溶液中に浸漬する工程
を含んでなる、請求項１５に記載の製造法。
【請求項１７】
非導電性基材層、銅層、および銅以外の金属から形成された、銅層および基材層の両方に接触している薄い導電性金属層を含んでなる導電性ラミネートであって、薄い導電性金属層と基材の結合が少なくとも６ｌｂ／ｉｎの剥離強度を有することを特徴とするラミネート。
【請求項１８】
非導電性基材、導電性回路トレース、および銅以外の金属から形成された、導電性回路トレースおよび基材の両方に接触している薄い導電性金属層を含んでなる導電性ラミネートであって、導電性回路トレースと薄い導電性金属層の結合が少なくとも６ｌｂ／ｉｎの剥離強度を有することを特徴とするラミネート。
【請求項１９】
基材、および銅以外の金属から形成された、基材に取り付けられた薄い導電性金属層を含んでなる導電性ラミネートであって、薄い導電性金属層がニッケルから形成され、複数のピークおよび谷を有する表面仕上げを有し、ピーク−谷の最大距離が約７０〜２００マイクロインチであることを特徴とするラミネート。
【請求項２０】
薄い導電性金属層がスズ、ニッケル、スズ−亜鉛、亜鉛−ニッケルからなる群から選択される金属を含んでなる、請求項１に記載の製造法。
【手続補正書】
【提出日】平成18年5月25日(2006.5.25)
【手続補正１】
【補正対象書類名】明細書
【補正対象項目名】特許請求の範囲
【補正方法】変更
【補正の内容】
【特許請求の範囲】
【請求項１】  溶融液状の金属、有利には溶融液状の銅を連続的に脱ガスし、引き続き、脱ガスされた金属を鋳造するための装置であって、供給された溶融液状の金属を収容する容器（１０，２０）と、脱ガスのために使用される真空室とが設けられており、溶融液状の金属のための流入部を有する第１の室（２０）内に上昇管（１５）が突入しており、該上昇管（１５）の上端部が真空室（１７）に開口しており、該真空室（１７）の底部が、下降管（１６）に接続された流出開口を有しており、該下降管（１６）の、出口開口を形成する下端部が、流出ノズル（１４）を備えた、鋳込み室（１３）として形成された第２の室に開口している形式のものにおいて、上昇管（１５）と下降管（１６）とに加熱装置（１９）が設けられていることを特徴とする、溶融液状の金属を連続的に脱ガスするための装置。
【請求項２】  溶融液状の金属、有利には溶融液状の銅を連続的に脱ガスし、引き続き、脱ガスされた金属を鋳造する方法であって、この場合、金属溶融液を脱ガスのために第１の室（２０）から、浴液面高さよりも下方に位置する流入開口を備えた上昇管（１５）を介して、脱ガス室として働く真空室（１７）内へ移送し、ただしこの場合、該真空室（１７）と第１の室（２０）との間の圧力差に基づき生ぜしめられる揚力だけを使用し、かつ別の圧送手段を排除して移送し、次いでこの金属溶融液を真空室（１７）から重力を利用して、鋳込み室（１３）内の浴液面高さよりも下方に位置する下側の出口開口を備えた下降管（１６）を介して鋳込み室（１３）内へ移送する形式のものにおいて、上昇管（１５）と下降管（１６）とを加熱することを特徴とする、溶融液状の金属を連続的に脱ガスする方法。
【手続補正書】
【提出日】平成17年11月15日(2005.11.15)
【手続補正１】
【補正対象書類名】明細書
【補正対象項目名】請求項１
【補正方法】変更
【補正の内容】
【請求項１】 上下の主切れ刃、側部の副切れ刃及びこれらの間のコーナー切れ刃と組み合わせられた作動前面のあるボデーを有し、これらの全てが前記前面に形成されかつそれらの組み合わせられた切れ刃から作動全面の全周に沿って内向き方向に伸びているすくい面を有し、更に切削用差込み工具の端点を通過する想像上の基準面を有する切削用差込み工具であって、前記主切れ刃の各が、その組み合わせられたコーナーエッジから、前記基準面より離れて切削用差込み工具の内向きの方向に伸びていることを特徴とする切削用差込み工具。
【手続補正書】
【提出日】平成18年5月15日(2006.5.15)
【手続補正１】
【補正対象書類名】明細書
【補正対象項目名】特許請求の範囲
【補正方法】変更
【補正の内容】
【特許請求の範囲】
【請求項１】  腫瘍血管内皮細胞を殺傷するか、腫瘍血管系における凝固を誘導するか、または腫瘍血管系を破壊することによって癌を処置するための医薬の製造における使用のための組成物、生物学的に有効な量の抗アミノリン脂質抗体またはその抗原結合領域を含む、組成物の使用。
【請求項２】  前記組成物が、モノクローナル抗体、二重特異的抗体、キメラ抗体、組換え抗体、操作抗体、ヒト抗体、ヒト化抗体、もしくは部分ヒトキメラ抗アミノリン脂質抗体、またはそれらのｓｃＦｖ、Ｆｖ、Ｆａｂ’、ＦａｂもしくはＦ（ａｂ’）２抗原結合領域を含む、請求項１に記載の使用。
【請求項３】  請求項１または２に記載の使用であって、前記組成物が、モノクローナル抗アミノリン脂質抗体またはその抗原結合領域を含み、以下の工程：
（ａ）動物を、免疫学的有効量のアミノリン脂質サンプルで免疫する工程；
（ｂ）該免疫動物の脾臓から単離されたＲＮＡを発現するコンビナトリアル免疫グロブリンファージミドライブラリーを調製する工程；
（ｃ）該ファージミドライブラリーから、抗アミノリン脂質抗体を発現するクローンを選択する工程；および
（ｄ）該選択されたクローンから抗アミノリン脂質抗体をコードする核酸を発現させて、組換え抗アミノリン脂質モノクローナル抗体を提供する工程
を含む調製プロセスによって調製される、使用。
【請求項４】  前記組成物が、血管化腫瘍の血管の管腔表面上のホスファチジルエタノールアミンに結合する、抗アミノリン脂質抗体またはその抗原結合領域を含む、請求項１〜３のいずれかに記載の使用。
【請求項５】  前記組成物が、血管化腫瘍の血管の管腔表面上のホスファチジルセリンに結合する、抗アミノリン脂質抗体またはその抗原結合領域を含む、請求項１〜４のいずれか記載の使用。
【請求項６】  前記組成物が、血管化腫瘍の血管の管腔表面上の抗アミノリン脂質タンパク質複合体に結合する、抗アミノリン脂質抗体またはその抗原結合領域を含む、請求項１〜５のいずれかに記載の使用。
【請求項７】  前記組成物が、血管化腫瘍の血管の管腔表面上のホシファチジルセリンおよびβ２−糖タンパク質Ｉ複合体に結合する、抗アミノリン脂質抗体またはその抗原結合領域を含む、請求項６に記載の使用。
【請求項８】  前記組成物が、リポソーム処方物として処方される、請求項１〜７のいずれかに記載の使用。
【請求項９】  前記組成物が、アミノリン脂質に結合する、検出可能に標識された抗体またはその抗原結合フラグメントの診断的有効量と組み合わせて使用するためのものである、請求項１〜８のいずれかに記載の使用。
【請求項１０】  前記組成物が、生物学的に有効な量の第２の抗癌剤と組み合わせて使用するためのものである、請求項１〜９のいずれかに記載の使用。
【請求項１１】  前記第２の抗癌剤が、サイトカイン、化学療法剤、放射線療法剤、抗脈管形成剤またはアポトーシス誘導化剤である、請求項１０に記載の使用。